(57)【要約】【課題】薄型で意匠性が良く、悪戯等によって表示板が取り外されることを確実に防止できるエレベータ用表示装置を得る。【解決手段】エレベータの乗場に面する一側面に開口部６が形成された乗場固定体と、開口部６を介して各種情報を乗場側に表示する表示部９と、開口部６を塞ぐように表示部９の乗場側に配置され、その一部に、一側が乗場固定体の一側面よりも乗場側で開口し、他側が乗場固定体の一側面よりも反乗場側で開口する貫通孔１２が形成された表示板１０と、乗場側からの所定の操作によって表示板１０を着脱自在に支持する支持部１１とを備え、支持部１１の一部が貫通孔１２の他側から挿入されることによって表示板１０を所定位置に保持するとともに、貫通孔１２の一側から貫通孔１２内に挿入された取外具１６によって支持部１１の一部が貫通孔１２の他側に付勢されることにより、支持部１１による表示板１０の保持状態が解除されるように構成する。【選択図】図４
2008068932.tif 000002
【特許請求の範囲】
【請求項１】
エレベータの乗場に面する一側面に開口部が形成された乗場固定体と、
前記乗場固定体に設けられ、前記開口部を介して各種情報を前記乗場側に表示する表示部と、
前記開口部を塞ぐように前記表示部の前記乗場側に配置されるとともに、その一部に、一側が前記乗場固定体の前記一側面よりも前記乗場側で開口し、他側が前記乗場固定体の前記一側面よりも反乗場側で開口する貫通孔が形成された表示板と、
前記乗場固定体に設けられ、前記乗場側からの所定の操作によって前記表示板を着脱自在に支持する支持部と、
を備え、
前記表示板は、前記支持部の一部が前記貫通孔の他側から前記貫通孔内に挿入されることによって所定位置に保持されるとともに、前記貫通孔の一側から前記貫通孔内に挿入された取外具によって前記支持部の前記一部が前記貫通孔の他側に付勢されることにより、前記支持部による保持状態が解除されることを特徴とするエレベータ用表示装置。
【請求項２】
表示板は、乗場固定体に形成された開口部全体を、乗場側から覆うことを特徴とする請求項１に記載のエレベータ用表示装置。
【請求項３】
貫通孔は、その一側が表示板の上面で開口することを特徴とする請求項１又は請求項２に記載のエレベータ用表示装置。
【請求項４】
乗場固定体の開口部は、乗場出入口の上方に形成されたことを特徴とする請求項１から請求項３の何れかに記載のエレベータ用表示装置。
【請求項５】
支持部は、
乗場固定体に設けられた取付座と、
先端部が表示板に接近及び離隔するように前記取付座に回動自在に設けられ、前記先端部が貫通孔の他側から前記貫通孔内に挿入されることによって前記表示板を所定位置に保持する保持具と、
前記取付座に設けられ、前記保持具の先端部が前記表示板に接近する方向に、前記保持具を常時付勢する付勢体と、
を備えたことを特徴とする請求項１から請求項４の何れかに記載のエレベータ用表示装置。
【発明の詳細な説明】
【技術分野】
【０００１】
この発明は、エレベータの乗場やかごに設けられ、エレベータ利用者に対して各種情報を表示するエレベータ用表示装置に関するものである。
【背景技術】
【０００２】
一般に、エレベータの乗場には、かごの現在位置や走行方向等を表示する表示装置が設けられている。ここで、図１０は従来のエレベータの乗場を示す側面図、図１１は図１０におけるＤ部詳細図であり、従来のエレベータ用表示装置の具体的構成を示したものである。図１０及び図１１において、エレベータ乗場にいる利用者に対してかごの現在位置等の各種情報を表示する表示器７は、乗場にいる利用者がその表示を見易いように、例えば、乗場出入口上方となる乗場三方枠１の上枠５内に設けられ、上枠５の乗場に面する一側面（幕板）に形成された開口部６から各種情報を表示するように構成される。なお、１７は見栄えを良くするために上記開口部６を上枠５の内側から塞ぐように設けられた、所定の透光性を有する表示板、１８は上枠５の下面に形成された保守点検窓を開閉する蓋である。
【０００３】
上記構成を有する従来のエレベータ用表示装置では、表示器７の保守や点検作業が上記保守点検窓から実施されていた。このため、表示器７の内部部品の交換といった各種作業を、作業員が上を向いたままの状態で実施しなければならず、作業性が悪いという問題があった。また、保守点検窓を開閉する蓋１８が乗場出入口を通過する人の視界に入るため、意匠性が悪化するといった問題もあった。さらに、近年では、乗場と昇降路とを隔てる壁の薄型化に伴って乗場三方枠１の奥行きも狭まり、保守点検作業に必要なサイズの保守点検窓を確保できないといった問題も生じていた。
【０００４】
なお、上記問題を解決するための従来技術として、かごの現在位置等を表示する表示部の乗場側に配置された表示板を、マグネットキャッチによって乗場側から着脱自在に支持したものが提案されている（例えば、特許文献１参照）。
また、他の従来技術として、かごの現在位置等を表示する表示部の乗場側に配置された表示板を、バネの付勢力によって開口部の一方に寄せて固定するとともに、上記表示板をバネの付勢力に抗して開口部の他方に寄せることによって取り外し可能に構成したものが提案されている（例えば、特許文献２参照）。
【０００５】
【特許文献１】特開平６−１５６９０９号公報
【特許文献２】特開平９−７７４０４号公報
【発明の開示】
【発明が解決しようとする課題】
【０００６】
特許文献１及び２記載のものは、乗場側からの操作によって表示板の着脱が可能であるが、その着脱方法が単純であるため、例えば、悪戯等によって表示板が外されてしまう恐れがあった。また、上枠等の乗場固定体に形成された開口部が、表示板の周囲を取り囲むように乗場側から見えてしまうため、意匠性が悪いという問題もあった。
【０００７】
この発明は、上述のような課題を解決するためになされたもので、その目的は、薄型で意匠性が良く、悪戯等によって表示板が取り外されることを確実に防止することができるエレベータ用表示装置を提供することである。
【課題を解決するための手段】
【０００８】
この発明に係るエレベータ用表示装置は、エレベータの乗場に面する一側面に開口部が形成された乗場固定体と、乗場固定体に設けられ、開口部を介して各種情報を乗場側に表示する表示部と、開口部を塞ぐように表示部の乗場側に配置されるとともに、その一部に、一側が乗場固定体の一側面よりも乗場側で開口し、他側が乗場固定体の一側面よりも反乗場側で開口する貫通孔が形成された表示板と、乗場固定体に設けられ、乗場側からの所定の操作によって表示板を着脱自在に支持する支持部と、を備え、表示板は、支持部の一部が貫通孔の他側から貫通孔内に挿入されることによって所定位置に保持されるとともに、貫通孔の一側から貫通孔内に挿入された取外具によって支持部の一部が貫通孔の他側に付勢されることにより、支持部による保持状態が解除されるものである。
【発明の効果】
【０００９】
この発明によれば、薄型で意匠性が良いエレベータ用表示装置を提供できるとともに、悪戯等によって意匠板が取り外されることを確実に防止することができる。
【発明を実施するための最良の形態】
【００１０】
この発明をより詳細に説明するため、添付の図面に従ってこれを説明する。なお、各図中、同一又は相当する部分には同一の符号を付しており、その重複説明は適宜に簡略化ないし省略する。
【００１１】
実施の形態１．
図１はこの発明の実施の形態１におけるエレベータの乗場を示す正面図、図２はこの発明の実施の形態１におけるエレベータ用表示装置を示す正面図、図３は図２に示すエレベータ用表示装置のＡ矢視図、図４は図２に示すエレベータ用表示装置のＢ−Ｂ矢視図、図５は図４に示すエレベータ用表示装置のＣ矢視図である。図１乃至図５において、１はエレベータの乗場に立設された乗場三方枠、２は乗場三方枠１及び乗場の床面３によって形成された乗場出入口を開閉する乗場の戸である。上記乗場三方枠１は、乗場出入口の両側に配置されて乗場出入口の両縁を形成する縦枠４と、縦枠４の上端部間に渡って設けられ、乗場出入口の上縁を形成する上枠５とから構成される。
【００１２】
ここで、上記上枠５には、乗場出入口の上方に配置されて乗場に面する一側面（幕板の表面）の中央部に、所定の大きさを呈する開口部６が形成されている。また、上記上枠５には、その内部側に、昇降路内を昇降するかご（図示せず）の現在位置や走行方向等を表示する表示器７が設けられている。この表示器７は、乗場にいるエレベータ利用者に対して、かごの現在位置や走行方向等を上記開口部６を介して表示するように構成され、例えば、上枠５の一側面裏側に設けられた箱体８と、この箱体８に設けられ、かごの現在位置や走行方向等の各種情報を開口部６を介して乗場側に表示する表示部９と、上枠５の一側面に形成された開口部６を塞ぐように開口部６に乗場側から配置されるとともに、表示器９の乗場側に所定の間隙を有して配置された所定の透光性を有する表示板１０と、箱体８に設けられ、乗場側からの所定の操作によって表示板１０を着脱自在に支持する支持部１１とから構成される。なお、乗場にいるエレベータ利用者は、表示板１０を介して表示部９の表示内容を見ることになる。
【００１３】
上記表示板１０は、所定の厚みを有する略直方体状を呈するとともに、その外周に渡って所定の段差が形成されている。即ち、表示板１０の表面側（乗場側）は乗場側から開口部６全体を覆うように開口部６よりも一回り大きく形成され、表示板１０の裏面側（昇降路側）は開口部６内に配置されるように開口部６よりも一回り小さくなるように形成されている。そして、上記表示板１０は、支持部１１によって適正に支持された状態で、表面側が上枠５の一側面よりも乗場側に、また、裏面側が上枠５の一側面よりも昇降路側に配置される。
【００１４】
また、表示板１０の一部には、表示板１０が支持部１１によって適正に支持されている状態で、一側が上枠５の一側面よりも乗場側で開口し、他側が上枠５の一側面よりも反乗場側で開口する貫通孔１２が形成されている。この貫通孔１２は、例えば、図４に示すように、上枠５の一側面よりも乗場側で開口する一側開口部１２ａが表示板１０の乗場側上面に配置され、上枠５の一側面よりも昇降路側で開口する他側開口部１２ｂが表示板１０の裏面に配置される。なお、上記貫通孔１２は、図２乃至図５に示すように、例えば、乗場側及び下方に凸状を呈する半円状の角孔からなる。
【００１５】
また、上記支持部１１は、その一部が貫通孔１２の他側開口部１２ｂから貫通孔１２内に挿入されることにより、表示板１０を所定の適正な位置に保持するように構成されている。即ち、支持部１１の一部が貫通孔１２に他側開口部１２ｂから挿入されることにより、貫通孔１２に挿入された支持部１１の一部と、他側開口部１２ｂの上方に配置された表示板１０の一部（図５における嵌合部１０ａ）とが嵌合し、表示板１０が適正な位置に固定された状態で支持される。ここで、上記支持部１１は、例えば、筐体８の内側上面に設けられた取付座１３と、先端部が表示板１０（開口部６）に接近及び離隔するように取付座１３に回動自在に設けられ、上記先端部が他側開口部１２ｂから貫通孔１２内に挿入されることにより表示板１０を所定の適正な位置に保持する保持具１４と、取付座１３に設けられ、保持具１４の先端部が表示板１０に接近する方向に、上記保持具１４を常時付勢する付勢体１５とから構成される。なお、保持具１４の先端部は、図４に示すように、貫通孔１２の形状に合わせて形成され、表示板１０が適正位置に配置された際の他側開口部１２ｂの位置に合わせてその先端部が配置されている。また、上記保持具１４及び付勢体１５は、図４に示すようなバネ付ヒンジ等で一体的に構成しても良い。
【００１６】
次に、上記構成を有するエレベータ用表示装置の保守点検時の操作について説明する。図６乃至図８はこの発明の実施の形態１におけるエレベータ用表示装置の動作を説明するための図４相当図であり、表示板１０を取り外す際の動作を時系列的に示したものである。また、図９はこの発明の実施の形態１におけるエレベータ用表示装置の動作を説明するための図４相当図であり、表示板１０を取り付ける際の動作を示したものである。
【００１７】
図６乃至図８において、エレベータの通常運転時、表示器７の表示板１０は、支持部１１によって支持され、適正な位置に保持されている。かかる状態では、一般のエレベータ利用者は表示板１０を乗場側から取り外すことはできない。
【００１８】
また、表示器７の保守点検を実施する場合には、図６に示すように、棒状を呈する取外具１６が表示板１０の貫通孔１２に一側開口部１２ａから挿入される。ここで、上記取外具１６は貫通孔１２に挿入することができる所定の形状を呈するとともに、貫通孔１２に挿入された際に貫通孔１２の形状に沿って他側開口部１２ｂ側に進入することができるように、所定の強度及び弾力性を有している。そして、取外具１６を貫通孔１２内で保持具１４の先端部に接触するまで挿入した後、さらに取外具１６を押し込むことによって、保持具１４の先端部を貫通孔１２の他側開口部１２ｂ側に移動させ、表示板１０の保持状態を解除する。即ち、貫通孔１２の一側開口部１２ａから挿入された取外具１６によって保持具１４の先端部が貫通孔１２の他側開口部１２ｂ側に付勢されることにより、支持部１１による表示板１０の保持状態が解除されて取り外し可能な状態となる。
【００１９】
一方、表示器７の保守点検作業が終了した場合には、図９に示すように、表示板１０を開口部６内に押し込むようにして所定の適正な位置に固定する。即ち、表示板１０が取り外されている状態では、保持具１４は、付勢体１５の付勢力によってその先端部が開口部６側に寄って配置されている。したがって、表示板１０を開口部６内に押し込むことにより、保持具１４の先端部が表示板１０の裏面に形成された傾斜面１２ｃに接触する。保持具１４の先端部が傾斜面１２ｃに接触した後さらに表示板１０が開口部６内に押し込まれると、表示板１０に付勢されて保持具１４が反乗場側に回転するとともに、その先端部が傾斜面１２ｃに案内されて貫通孔１２の他側開口部１２ｂ側に移動する。そして、表示板１０が所定位置まで押し込まれることにより、保持具１４の先端部が貫通孔１２の他側開口部１２ｂに達し、保持具１４の先端部が、付勢体１５の付勢力によって貫通孔１２内に挿入される。即ち、表示板１０は、保持具１４の先端部と嵌合部１０ａとが嵌合することによって所定位置に保持される。
【００２０】
この発明の実施の形態１によれば、表示装置を薄型で意匠性良く構成できるとともに、悪戯によって表示板１０が取り外されることを確実に防止することができる。即ち、保持具１４を箱体８の上面に設けられた取付座１３に回動自在に設けることにより、箱体８の薄型化、表示装置全体の薄型化が可能となる。特に、小型のバネ付ヒンジ等の簡単な部品を使用することにより、薄型化が容易に実現できる。また、上枠５の一側面に形成された開口部６全体が表示板１０で覆われるため、乗場側からの見た目が良く、意匠性の良い表示装置を提供することができる。
【００２１】
また、所定の取付具１６を使用しなければ表示板１０を取り外すことができないため、悪戯等を確実に防止できる。特に、取外具１６を挿入する貫通孔１２の一側開口部１２ａが表示板１０の上面に形成されている場合や、表示器７が乗場出入口の上方に配置されている場合には、一側開口部１２ａが、乗場出入口を通過するエレベータ利用者の視界に入り難い又は入らないため、有効な手段となる。
【００２２】
なお、実施の形態１では、貫通孔１２及び支持部１１を表示器７の中央部に配置した場合について説明したが、上記両者を表示器７の両側に配置して表示板１０の両側を支持するように構成しても良い。また、実施の形態１では、表示器７が乗場三方枠１の上枠５に設けられている場合について説明したが、表示器７は、乗場の壁パネル等の他の乗場固定体やかご壁パネル等のかご固定体に設けられていても、上記と同様の構成を有することにより同様の効果が得られることは言うまでもない。
【図面の簡単な説明】
【００２３】
【図１】この発明の実施の形態１におけるエレベータの乗場を示す正面図である。
【図２】この発明の実施の形態１におけるエレベータ用表示装置を示す正面図である。
【図３】図２に示すエレベータ用表示装置のＡ矢視図である。
【図４】図２に示すエレベータ用表示装置のＢ−Ｂ矢視図である。
【図５】図４に示すエレベータ用表示装置のＣ矢視図である。
【図６】この発明の実施の形態１におけるエレベータ用表示装置の動作を説明するための図４相当図である。
【図７】この発明の実施の形態１におけるエレベータ用表示装置の動作を説明するための図４相当図である。
【図８】この発明の実施の形態１におけるエレベータ用表示装置の動作を説明するための図４相当図である。
【図９】この発明の実施の形態１におけるエレベータ用表示装置の動作を説明するための図４相当図である。
【図１０】従来のエレベータの乗場を示す側面図である。
【図１１】図１０におけるＤ部詳細図である。
【符号の説明】
【００２４】
１  乗場三方枠、  ２  乗場の戸、  ３  床面、  ４  縦枠、  ５  上枠、
６  開口部、  ７  表示器、  ８  箱体、  ９  表示部、  １０  表示板、
１０ａ  嵌合部  １１  支持部、  １２  貫通孔、  １２ａ  一側開口部、
１２ｂ  他側開口部、  １２ｃ  傾斜面、  １３  取付座、  １４  保持具、
１５  付勢体、  １６  取外具、  １７  表示板、  １８  蓋
【図１】
2008068932.tif 000003
【図２】
2008068932.tif 000004
【図３】
2008068932.tif 000005
【図４】
2008068932.tif 000006
【図５】
2008068932.tif 000007
【図６】
2008068932.tif 000008
【図７】
2008068932.tif 000009
【図８】
2008068932.tif 000010
【図９】
2008068932.tif 000011
【図１０】
2008068932.tif 000012
【図１１】
2008068932.tif 000013